【事件の表示】
　特願２０１０−１８０５１６「図書保管管理システム」拒絶査定不服審判事件〔平成２４年　２月２３日出願公開、特開２０１２−　３５９９９〕について、次のとおり審決する。
【結　論】
　本件審判の請求は、成り立たない。
【理　由】
第１　手続の経緯
　本件出願は、平成２２年８月１１日の出願であって、平成２６年６月２６日付けで拒絶理由が通知され、これに対して平成２６年８月２１日に意見書及び手続補正書が提出されたが、平成２６年１２月２４日付けで拒絶査定がされ、これに対して平成２７年３月２７日に拒絶査定不服審判が請求されると同時に明細書及び特許請求の範囲について補正する手続補正書が提出されたものである。
第２　平成２７年３月２７日付けの手続補正についての補正の却下の決定
［補正の却下の決定の結論］
　平成２７年３月２７日付けの手続補正を却下する。
［理由］
〔１〕本件補正の内容
　平成２７年３月２７日付けの手続補正（以下、「本件補正」という。）は、特許請求の範囲に関して、本件補正により補正される前の（すなわち、平成２６年８月２１日に提出された手続補正書により補正された）下記の（Ａ）に示す請求項１ないし５を、下記の（Ｂ）に示す請求項１ないし４と補正するものである。
（Ａ）本件補正前の特許請求の範囲の請求項１ないし５
「　【請求項１】
　複数の図書を収容した複数のコンテナが書庫に保管され、該複数のコンテナには、各コンテナを識別可能なコンテナ識別情報が付与されており、管理装置の指令に基づき、前記書庫に保管されている前記複数のコンテナの中から、貸し出しまたは返却作業の対象となる目的の図書を収容するコンテナを前記書庫から取り出してコンベア及びエレベータによりステーションに搬送するとともに、該コンテナを図書の貸し出しまたは返却作業後に前記ステーションから前記書庫に搬送する図書保管管理システムであって、
　前記管理装置は、搬送対象のコンテナのコンテナ識別情報を受付けるコンテナ識別情報受付手段と、該コンテナ識別情報受付手段にて受付けたコンテナ識別情報が付与されたコンテナを搬送経路に沿って搬送させる搬送制御手段と、該搬送中のコンテナの前記搬送経路における現在位置を取得するコンテナ位置取得手段と、該コンテナ位置取得手段にて取得したコンテナ位置に基づいて前記搬送対象のコンテナの搬送状況を表示する表示手段と、を備え、
　前記表示手段は、前記搬送対象のコンテナの搬送状況の表示を前記搬送経路における前記書庫、前記コンベア、前記エレベータ及び前記ステーションの領域毎に行う
ことを特徴とする図書保管管理システム。
　　【請求項２】
　前記複数の図書には、各図書を識別可能な図書識別情報が付与されており、前記管理装置は、前記図書識別情報と前記コンテナ識別情報とを対応付けて記憶する記憶手段と、前記目的の図書の図書識別情報を受付ける図書識別情報受付手段と、をさらに備え、前記図書識別情報受付手段にて受付けた図書識別情報に対応付けて前記記憶手段に記憶されるコンテナ識別情報が前記コンテナ識別情報受付手段に受付けられるようになっていることを特徴とする請求項１に記載の図書保管管理システム。
　　【請求項３】
　前記表示手段は、前記ステーションにコンテナが到着したときに、前記搬送対象のコンテナの搬送状況の表示から、前記図書識別情報に対応付けて前記記憶手段に記憶されている図書に関連する図書関連情報の表示に切り換える制御を行うことを特徴とする請求項２に記載の図書保管管理システム。
　　【請求項４】
　前記表示手段は、前記搬送対象のコンテナが複数個搬送される場合に、前記各領域に存在する前記搬送対象のコンテナの個数の表示を行うことを特徴とする請求項１ないし３のいずれかに記載の図書保管管理システム。
　　【請求項５】
　前記ステーションが複数台設けられるとともに、前記コンテナ識別情報受付手段は、各利用者を識別可能な利用者識別情報に対応付けて前記コンテナ識別情報を受付けるようになっており、前記管理装置は、前記各ステーションに設けられる前記表示手段に、前記利用者識別情報に基づいて各搬送対象のコンテナの搬送状況を、前記各ステーションの利用者毎に表示させる制御を行うことを特徴とする請求項１ないし４のいずれかに記載の図書保管管理システム。」
（Ｂ）本件補正後の特許請求の範囲の請求項１ないし４
「　【請求項１】
　複数の図書を収容した複数のコンテナが書庫に保管され、該複数のコンテナには、各コンテナを識別可能なコンテナ識別情報が付与されており、管理装置の指令に基づき、前記書庫に保管されている前記複数のコンテナの中から、貸し出しまたは返却作業の対象となる目的の図書を収容するコンテナを前記書庫から取り出してコンベア及びエレベータによりステーションに搬送するとともに、該コンテナを図書の貸し出しまたは返却作業後に前記ステーションから前記書庫に搬送する図書保管管理システムであって、
　前記管理装置は、搬送対象のコンテナのコンテナ識別情報を受付けるコンテナ識別情報受付手段と、該コンテナ識別情報受付手段にて受付けたコンテナ識別情報が付与されたコンテナを搬送経路に沿って搬送させる搬送制御手段と、該搬送中のコンテナの前記搬送経路における現在位置を取得するコンテナ位置取得手段と、該コンテナ位置取得手段にて取得したコンテナ位置に基づいて前記搬送対象のコンテナの搬送状況を表示する表示手段と、を備え、
　
前記コンテナ位置取得手段は、前記搬送経路に複数設けられたコンテナ識別情報受付手段を具備し、
　
前記ステーションは複数台設けられ、
　
前記コンテナ位置取得手段は、前記搬送経路に複数設けられた各コンテナ識別情報受付手段により取得されたコンテナ識別情報を基に、該コンテナ識別情報が付与されたコンテナの現在位置を取得し、
　
前記管理装置は、前記コンテナ位置取得手段が取得した情報に基づいて、前記コンテナ識別情報が付与されたコンテナが複数の前記ステーションのいずれかに対応するかを判断して、対応する前記ステーションの前記表示手段に、該コンテナが前記搬送経路の前記書庫、前記コンベア、前記エレベータ及び前記ステーションのうちいずれの領域に位置するかという位置情報を表示させる
　　【請求項２】
　前記複数の図書には、各図書を識別可能な図書識別情報が付与されており、前記管理装置は、前記図書識別情報と前記コンテナ識別情報とを対応付けて記憶する記憶手段と、前記目的の図書の図書識別情報を受付ける図書識別情報受付手段と、をさらに備え、前記図書識別情報受付手段にて受付けた図書識別情報に対応付けて前記記憶手段に記憶されるコンテナ識別情報が前記コンテナ識別情報受付手段に受付けられるようになっていることを特徴とする請求項１に記載の図書保管管理システム。
　　【請求項３】
　前記表示手段は、前記ステーションにコンテナが到着したときに、前記搬送対象のコンテナの搬送状況の表示から、前記図書識別情報に対応付けて前記記憶手段に記憶されている図書に関連する図書関連情報の表示に切り換える制御を行うことを特徴とする請求項２に記載の図書保管管理システム。
　　【請求項４】
　前記表示手段は、前記搬送対象のコンテナが複数個搬送される場合に、前記各領域に存在する前記搬送対象のコンテナの個数の表示を行うことを特徴とする請求項１ないし３のいずれかに記載の図書保管管理システム。」
（なお、下線は、当審において補正箇所を明示するために付したものである。）
〔２〕本件補正の目的要件について
　本件補正は、本件補正前の請求項１における「前記表示手段は、前記搬送対象のコンテナの搬送状況の表示を前記搬送経路における前記書庫、前記コンベア、前記エレベータ及び前記ステーションの領域毎に行う」という記載を、「
前記コンテナ位置取得手段は、前記搬送経路に複数設けられたコンテナ識別情報受付手段を具備し、
　
前記ステーションは複数台設けられ、
　
前記コンテナ位置取得手段は、前記搬送経路に複数設けられた各コンテナ識別情報受付手段により取得されたコンテナ識別情報を基に、該コンテナ識別情報が付与されたコンテナの現在位置を取得し、
　
前記管理装置は、前記コンテナ位置取得手段が取得した情報に基づいて、前記コンテナ識別情報が付与されたコンテナが複数の前記ステーションのいずれかに対応するかを判断して、対応する前記ステーションの前記表示手段に、該コンテナが前記搬送経路の前記書庫、前記コンベア、前記エレベータ及び前記ステーションのうちいずれの領域に位置するかという位置情報を表示させる
　よって、特許請求の範囲の請求項１についての本件補正は、本件補正前の特許請求の範囲の請求項１に係る発明の発明特定事項を限定したものであって、本件補正前の請求項１に記載された発明と本件補正後の請求項１に記載される発明の産業上の利用分野及び解決しようとする課題が同一であるから、本件補正は、特許法第１７条の２第５項第２号に規定する特許請求の範囲の減縮を目的とするものに該当する。
　そこで、本件補正によって補正された特許請求の範囲の請求項１に係る発明（以下、「本願補正発明」という。）が特許出願の際に独立して特許を受けることができるものであるか（特許法第１７条の２第６項において準用する同法第１２６条第７項の規定に適合するか）について、以下に検討する。
〔３〕本願補正発明の独立特許要件について
１．本願補正発明
　本願補正発明は、平成２７年３月２７日に提出された手続補正書により補正された特許請求の範囲の請求項１に記載された事項により特定されるものであるところ、上記〔１〕（Ｂ）の【請求項１】に示したとおりのものである。
２．引用刊行物
（１）引用刊行物の記載事項
　原査定の拒絶の理由に引用された刊行物であって、本件出願前に頒布された刊行物である特開２００６−３２７７３８号公報（以下、「引用刊行物」という。）には、図面とともに次の事項が記載されている。
ａ）「【００１８】
　以下、この発明の実施の形態について図面を参照して詳細に説明する。図１は、この実施の形態で説明する図書保管管理システムの全体的な構成を示している。すなわち、図１において、符号１１は書棚群である。この書棚群１１は、例えば図書館の地階の書庫内に設置されているものとする。
【００１９】
　この書棚群１１は、互いに一定間隔をあけて対向するように設置された複数対（図示の場合は３対）の書棚（１１ａ，１１ｂ）、（１１ｃ，１１ｄ）、（１１ｅ，１１ｆ）から構成されている。これら各書棚１１ａ〜１１ｆには、それぞれに複数の図書（図１では図示せず）が収容された複数のコンテナ１２，１２，……が収容されている。
【００２０】
　ここで、上記書棚１１ａ，１１ｂ相互間には、スタッカークレーン１３が設置されている。このスタッカークレーン１３は、書棚１１ａ，１１ｂ相互間に形成された空間内を移動し、いずれかの書棚１１ａまたは１１ｂから所望のコンテナ１２を取り出して出庫用ラックステーション１４に移送する。
【００２１】
　この出庫用ラックステーション１４に移送されたコンテナ１２は、搬送コンベア１５を介してコンテナ搬出口１６に移送された後、垂直搬送機１７を介して、１階向コンテナ搬入口１８または２階向コンテナ搬入口１９まで搬送される。
【００２２】
　このうち、１階向コンテナ搬入口１８に移送されたコンテナ１２は、搬送コンベア２０を介して、詳細は後述するが、複数のステーション（ブースともいう）を有する１階ステーションユニット２１に搬送され、いずれかのステーションにおいて図書の取り出しまたは入庫に供される。
【００２３】
　また、２階向コンテナ搬入口１９に移送されたコンテナ１２は、搬送コンベア２２を介して、複数のステーション（ブースともいう）を有する２階ステーションユニット２３に搬送され、いずれかのステーションにおいて図書の取り出しまたは入庫に供される。
【００２４】
　一方、１階ステーションユニット２１で図書の取り出しまたは入庫が完了したコンテナ１２は、搬送コンベア２４を介して１階向コンテナ搬出口２５に移送される。また、２階ステーションユニット２３で図書の取り出しまたは入庫が完了したコンテナ１２は、搬送コンベア２６を介して２階向コンテナ搬出口２７に移送される。
【００２５】
　そして、１階向コンテナ搬出口２５または２階向コンテナ搬出口２７に移送されたコンテナ１２は、垂直搬送機１７により地階のコンテナ搬入口２８に移送され、搬送コンベア２９を介して入庫用ラックステーション３０に移送された後、スタッカークレーン１３により書棚１１ａまたは１１ｂに入庫される。
【００２６】
　なお、他の書棚１１ｃ，１１ｄ相互間及び書棚１１ｅ，１１ｆ相互間にも、それぞれスタッカークレーン（図示せず）が設置されている。そして、上記と略同様の動作により、各書棚１１ｃ〜１１ｆと１階及び２階ステーションユニット２１，２３との間で、コンテナ１２を搬送することができる。
【００２７】
　ここで、図２（ａ）は、上記コンテナ１２の詳細な構成を示している。すなわち、このコンテナ１２は、その内部が略直交する仕切り板１２ａ，１２ｂによって、４つのブロックＡ，Ｂ，Ｃ，Ｄに分割されている。そして、各ブロックＡ，Ｂ，Ｃ，Ｄ内には、図２（ｂ）に示すように、それぞれ複数の図書３１，３１，……が厚み方向に１列に並んで収容されるようになっている。つまり、コンテナ１２内には、ブロックＡ，Ｂに収容された図書３１，３１，……の列と、ブロックＣ，Ｄに収容された図書３１，３１，……の列とが、２列に並んで収容されることになる。
【００２８】
　そして、コンテナ１２内で２列に並んだ各図書３１，３１，……同士は、互いにその背表紙３１ａを外側に向けるようにして収容されている。なお、コンテナ１２は、その側面にバーコードラベル１２ｃが付されている。また、各図書３１，３１，……にも、それぞれ固有のバーコードが付されている。さらに、コンテナ１２の両端部には、取っ手１２ｄが設置されている。
【００２９】
　一方、図３は、上記１階ステーションユニット２１の外観を示している。なお、２階ステーションユニット２３については、１階ステーションユニット２１と同様な構成であるため、その説明を省略する。
【００３０】
　すなわち、この１階ステーションユニット２１は、それぞれ利用者が入退室可能な５基のステーション（ブース）３２を備えている。各ステーション３２は、それぞれ、ドア３２ａを有する個室状に構成されている。また、この１階ステーションユニット２１の近傍の壁には、各ステーション３２の利用状況を示すモニタ３３が設置されている。
【００３１】
　図４は、１基のステーション３２の内部を示している。他の４基のステーション３２についても、全て同様な構成となっている。すなわち、ステーション３２には、カウンター台３４が設置されている。そして、このカウンター台３４の奥側に上記書棚１１ａ〜１１ｆから取り出されたコンテナ１２が保持され、利用者がそのコンテナ１２から必要な図書３１を取り出すことができる。
【００３２】
　また、このカウンター台３４には、図５に示すように、入力タッチパネル式のモニタを有するステーション端末機（ＳＴＵ）３５、無線タグリーダ３６、プリンタ３７、カードリーダ３８及び図書３１のバーコードを読み取るためのバーコードリーダ３９が設置されている。なお、カウンター台３４には、そこに保持されたコンテナ１２のバーコードを読み取るための図示しないバーコードリーダも設置されている。
【００３３】
　図６は、上記１階ステーションユニット２１の周辺の構造を示している。すなわち、５基のステーション３２は、そのドア３２ａを同方向に向けて直線的に併設されている。そして、これらステーション３２の背面側には、ステーション３２の配列方向に沿ってレール４０が敷設されている。
【００３４】
　また、このレール４０の一端部は、前記垂直搬送機１７によって１階向コンテナ搬入口１８に移送されたコンテナ１２を１階ステーションユニット２１に搬送する搬送コンベア２０と、１階ステーションユニット２１で図書の取り出しまたは入庫が完了したコンテナ１２を１階向コンテナ搬出口２５に搬送する搬送コンベア２４とに対向している。
【００３５】
　そして、上記レール４０には、走行式移載台車４１が自走可能に搭載されている。この走行式移載台車４１は、１階向コンテナ搬入口１８から搬送コンベア２０によって搬送されてきたコンテナ１２を搭載し、所定のステーション３２まで移送してそのステーション３２に設置されたコンテナ保持部４２（図７参照）に保持させるように機能する。
【００３６】
　また、この走行式移載台車４１は、所定のステーション３２のコンテナ保持部４２に保持されたコンテナ１２を搭載し、搬送コンベア２４まで移送して搬送コンベア２４に搭載させるように機能する。
【００３７】
　この場合、走行式移載台車４１には、図２に示したコンテナ１２の取っ手１２ｄを引くことにより、外部から台車上にコンテナ１２を摺動移載し、また、取っ手１２ｄの下方を押すことにより台車上から外部にコンテナ１２を摺動移載するための、図示しない転載機構が搭載されている。
【００３８】
　また、上記搬送コンベア２０，２４と１階ステーションユニット２１との間のレール４０近傍には、回転台４３が設置されている。この回転台４３は、走行式移載台車４１から受け取って搭載したコンテナ１２を１８０度回転させる機能を有する。コンテナ１２を回転させる目的は、図書３１をその厚み方向に２列に収容するコンテナ１２の場合、目的とする図書３１の収容されている側が、ステーション３２で利用者側に向くようにするためである。
【００３９】
　ここで、上記レール４０の１階ステーションユニット２１が設けられている側と反対の側には、複数のコンテナ１２を載置可能なコンテナ待機棚４４が設けられている。このコンテナ待機棚４４は、図７に示すように、上下２段の棚４４ａ，４４ｂによって構成されている。この実施の形態では、各棚４４ａ，４４ｂに１０個ずつ、合計２０個のコンテナ１２を搭載可能となっている。
【００４０】
　そして、上記走行式移載台車４１には、昇降機構４１ａが設けられており、いずれの棚４４ａ，４４ｂに対してもコンテナ１２の出し入れを行なえるようになっている。
【００４１】
　これにより、走行式移載台車４１は、搬送コンベア２０，２４、各ステーション３２のコンテナ保持部４２、回転台４３及びコンテナ待機棚４４の相互間で、自由にコンテナ１２を移送することができる。
【００４２】
　なお、図６において、垂直搬送機１７の搬送コンベア２０，２４が設けられている側と反対の側には、職員用ステーション（ブース）４５が設けられており、利用者用のステーション３２を使用することなく、図書館員の手元にコンテナ１２を取り出すことが可能になっている。」（段落【００１８】ないし【００４２】）
ｂ）「【００４３】
　図８は、上記のような図書保管管理システムの制御システムを示している。すなわち、図書館システムサーバ（ＬＳＳ）４６は、書棚群１１に保管されている閉架保管区分の図書３１だけでなく、図示しない開架保管区分の図書をも含めた図書館の全ての全ての図書３１を統括管理するものである。
【００４４】
　この図書館システムサーバ４６は、全図書３１の開架、閉架保管区分の管理、新規図書３１の図書コード登録処理等の業務管理を行なっている。また、この図書館システムサーバ４６は、図示しないが、開架図書３１の貸し出し返却処理を行なう図書館員カウンタ端末、開架／閉架図書３１を対象とした図書検索端末（ＯＰＥＣ）４７が接続され、検索結果として、閉架図書３２の図書貸し出し情報を書庫システムサーバ（ＢＳＳ）４８に伝送している。また、図書検索端末４７はプリンタを有し、貸し出し予約した図書３１の内容、予約順にふられる予約番号を記入した図書予約票を発行する。
【００４５】
　そして、上記書庫システムサーバ４８は、図書館システムサーバ４６とＬＡＮ（local area network）回線で接続され、閉架書庫内の図書３1の所在位置管理、貸し出し、返却処理の管理を行なっている。図書貸し出し情報は、図書館システムサーバ４６から伝送され、貸し出しの作業が終了すると、図書館システムサーバ４６に図書貸し出し実績報告を行なっている。また、返却図書３１が書庫に戻されると、図書館システムサーバ４６に図書返却実績報告を行なっている。図書貸し出し情報は、予約番号順に記憶される。
【００４６】
　また、書庫システムサーバ４８の内部記憶装置には、書庫に保管された全図書３１の図書コード、書誌データ、各図書３１の保管位置に関するデータが記憶されている。これらのデータは、図示しない複数の障害対策用ハードディスク、マスタバックアップ管理用ＤＡＴ、無停電電源装置により保護されており、図書貸し出し情報から、要求される図書３１が収容されたコンテナ１２の番号が検索される図書コードに対応して記憶される。
【００４７】
　さらに、書庫システムサーバ４８は、書庫内の図書３１を取り出し、返却する場所であるステーション３２，４５にそれぞれ設けられたステーション端末機３５と、書庫内のスタッカークレーン１３や各種の搬送機器をコントロールする統括制御盤４９とに、ＬＡＮ回線で接続されている。
【００４８】
　すなわち、図書３１の貸し出し場所であるステーションは、１基の図書館職員用ステーション４５と、複数基の個人利用者用のステーション３２とがあり、それぞれにステーション端末機３５が備えられている。ただし、職員用ステーション４５は、図書３１の入庫及び出庫を行なえるが、利用者用のステーション３２は、出庫つまり図書３１の取り出しのみを行なえる機能に制限している。
【００４９】
　そして、ステーション端末機３５は、操作ガイダンス、コンテナ１２の到着時の取り出し図書名等の表示、コンテナ１２からの取り出し完了の都度操作を行なう入力タッチパネル式のモニタを有している。また、ステーション端末機３５には、図書コードを読み取る無線タグリーダ３６、プリンタ３７、利用者カードから利用者コードを登録するカードリーダ３８及びバーコードリーダ３９が接続されている。
【００５０】
　すなわち、図書３１に図書コードを記憶した無線タグが装着されているときは、無線タグリーダ３６によって図書コードを読み取ることができ、図書３１にバーコードが付されているときは、バーコードリーダ３９によって図書コードを読み取ることができるようにしている。なお、ステーション端末機３５は、ステーション３２，４５に保持されているコンテナ１２のバーコードラベル１２ｃを読み取るバーコードリーダも制御している。
【００５１】
　また、ステーション端末機３５に入力された利用者カードから登録される利用者コードは、書庫システムサーバ４８に送信される。すると、書庫システムサーバ４８では、ステーション３２の使用状況、コンテナ待機棚４４の占有状況、予約番号順位等を判断し、出庫すべきコンテナ１２を決定して、統括制御盤４９経由でコンテナ１２の出庫を開始させる。
【００５２】
　ここで、上記統括制御盤４９は、ステーション搬送機制御盤５０、入出庫搬送機制御盤５１、垂直搬送機制御盤５２及びスタッカークレーン地上盤５３等を統括的に制御している。
【００５３】
　そして、ステーション搬送機制御盤５０は、１階ステーションユニット２１において、走行式移送台車４１（昇降機構４１ａを含む）及び回転台４３をそれぞれ制御するとともに、垂直搬送機１７と職員用ステーション４５との間でコンテナ１２を移送する移送機構を制御している。また、このステーション搬送機制御盤５０は、２階ステーションユニット２３において、１階ステーションユニット２１と同様の図示しない走行式移載台車、回転台及び移送機構を制御している。
【００５４】
　さらに、上記入出庫搬送機制御盤５１は、入出庫搬送機５４（前記搬送コンベア１５，２０，２２，２４，２６，２９に相当）を制御している。また、上記垂直搬送機制御盤５２は、前述した垂直搬送機１７を制御し、スタッカークレーン地上盤５３は、スタッカークレーン制御盤５５を介して書庫内におけるスタッカークレーン１３を制御している。
【００５５】
　ここで、書庫システムサーバ４８の内部記憶装置には、図書館システムサーバ４６から登録された予約番号、利用者コード及び図書コードを基に、基本管理データファイルである図書貸し出し情報と４つのマスタとが構成され記憶されている。これら４つのマスタは、図書マスタ、コンテナマスタ、待機棚ロケーションマスタ及び書庫ロケーションマスタである。
【００５６】
　まず、図９は、図書貸し出し情報を示している。この図書貸し出し情報は、予約番号単位で作成される。すなわち、予約番号、利用者コード及び図書コードは、図書館システムサーバ４６に接続された図書検索端末４７で利用者が図書３１を検索し、貸し出しを受ける図書３１が決定した時点で、図書館システムサーバ４６から書庫システムサーバ４８に送られる。
【００５７】
　書庫システムサーバ４８において、図書マスタからコンテナ番号が引用されて付加される。コンテナ番号には、後番の予約番号でも利用される場合に、その回数まで記載する引き当て情報が用意されている。
【００５８】
　対象コンテナ１２をコンテナ待機棚４４に一時保管したときの待機棚ロケーション、ステーション３２に対象コンテナの全てを順次出庫できる準備ができたときの時刻、利用が決まったステーションＮｏ．、図書取り出しの進捗状況は、利用者の利用開始に伴なう刻々の変化に応じて記録される。
【００５９】
　進捗状況は、その予約番号の取り出し処理の進捗管理フラグで、状況遷移を記録する。図書貸し出し情報は、最終的には、図書館システムサーバ４６に図書貸し出し実績情報として返送される。
【００６０】
　なお、コンテナ１２は、図１に示した２列型を想定しており、その両方の列に異なるコンテナ番号が付されている。ただし、その番号は連番であり、例えば、“１２３４５１”の反対側は“１２３４５２”としている。このため、図書コードの管理は別個としているが、コンテナ番号“１２３４５１”のコンテナ１２を書庫に対して入出庫したときは、コンテナ番号“１２３４５２”のコンテナ１２も書庫に対して入出庫したとする制御が行なわれる。
【００６１】
　コンテナ１２の両面を使用するときには、図書貸し出し情報の最初のコンテナ番号側がステーション３２で利用者側を向くように搬送される制御を行なっている。
【００６２】
　図１０（ａ）は、図書マスタを示している。この図書マスタは、図書単位で作成される。すなわち、図書コード、書誌データ（書名、著者名、出版社等からなる）及び収容されているコンテナ１２のコンテナ番号からなる。なお、図書３１の保管区分を書庫外とする、または、図書３１を廃棄する等の削除情報があるまでは、その図書３１の図書マスタは残る。
【００６３】
　図１０（ｂ）は、コンテナマスタを示している。このコンテナマスタは、コンテナ単位で作成される。すなわち、コンテナマスタは、コンテナ番号ごとに構成され、コンテナ１２のサイズを示すコンテナ種別コード、収容図書３１のサイズを表わす図書サイズ識別コード、コンテナ１２の図書充填率、コンテナ１２に収容されている全図書３１の図書コードからなる。
【００６４】
　コンテナ番号は、全てのコンテナ１２に対して一連番号として付けられる固有の番号であり、バーコードラベル１２ｃとしてコンテナ１２の本体側面に貼られる。ステーション３２のバーコードリーダで読み取ることにより、書庫から取り出されたコンテナ１２の到着を知ることができる。
【００６５】
　図１１（ａ）は、待機棚ロケーションマスタを示している。この待機棚ロケーションマスタは、棚４４ａ，４４ｂ単位で作成される。すなわち、コンテナ待機棚４４のコンテナ１２の保管場所を示すロケーションと、、そこにあるコンテナ１２のコンテナ番号とから構成される。
【００６６】
　コンテナ番号には、その時点で保管されている場合は、実保管フラグがセットされる。実保管フラグがセットされていないコンテナ番号は、書庫から出庫途中のコンテナ分、または、ステーション３２にあり、他の予約番号でも利用するためステーション３２から再び戻されるコンテナ分であって、その時点ではないとしても確保しておくべき収容場所を示している。
【００６７】
　コンテナ待機棚４４の空き数は、実保管かどうかに関係なく、コンテナ番号の記載されていないロケーション数となる。なお、コンテナ１２の両側を使用するときは、最初に使用する側のコンテナ番号が記憶される。反対側を利用することは、図書貸し出し情報に記憶されている。
【００６８】
　図１１（ｂ）は、書庫ロケーションマスタを示している。この書庫ロケーションマスタは、書棚１１ａ〜１１ｆ単位で作成される。すなわち、書庫内の書棚１１ａ〜１１ｆのコンテナ保管場所を示すロケーションと、そのロケーションが付された書棚１１ａ〜１１ｆの大きさを示す棚領域区分コードと、そこに保管されているコンテナ１２のコンテナ番号と、そのコンテナ種別コードとで構成される。」（段落【００４３】ないし【００６８】）
ｃ）「【００６９】
　上記のような構成となされた図書保管管理システムにおいて、以下、図１２〜図１５に示すフローチャートを参照して、その動作を説明する。まず、処理が開始されると、ステップＳ１で、貸し出しを受ける利用者は、図書館システムサーバ４６に接続された図書検索端末４７により、利用者カードを用いて利用者コードを登録してから図書検索を実行する。
【００７０】
　ステップＳ２で、図書検索の確定をすると、図１６に示すような図書予約票が発行される。この図書予約票には、図書名、図書コード、予約番号、予約時間及び図書受け渡し場所が記載されている。図１６に示す例では、予約番号が１３で、３冊の貸し出し予約となっている。
【００７１】
　ステップＳ３で、予約番号、利用者コード及び図書コードが図書貸し出し情報として図書館システムサーバ４６から書庫システムサーバ４８に伝送される。
【００７２】
　ステップＳ４で、図書館システムサーバ４６に図書貸し出し情報が予約番号単位でグループ化されて記憶される。該当図書３１の図書マスタから、その図書３１の収容されているコンテナ１２のコンテナ番号が検索され、追加して記憶される。
【００７３】
　ステップＳ５で、図書貸し出し情報の進捗情報の中の書庫から出庫開始フラグのない、一番若い番号の予約番号を対象に制御が始まる。この処理が始まると、処理に入った予約番号と対応する進捗情報の中の書庫から出庫開始フラグをセットする。そして、コンテナ待機棚４４及びステーション（フローチャートではブースという）３２に、この予約番号で使用するコンテナ１２と同じコンテナ１２があるか否か、他の図書貸し出し情報を検索する。
【００７４】
　コンテナ待機棚４４及びステーション３２に、この予約番号で使用するコンテナ１２と同じコンテナ１２がある場合（ＹＥＳ）には、ステップＳ６で、該当する相手の図書貸し出し情報にあるコンテナ番号の引き当て情報をセットする。引き当て対象のコンテナ１２は、その他の予約番号からも引き当てられたときは、引き当て情報に引き当て数も記憶される。また、同じ予約番号で同一のコンテナ１２である２列両側のコンテナ番号に貸し出し図書があるときは、その予約番号の図書貸し出し情報に両方のコンテナ番号が記憶されているので、引き当て情報をセットする必要はなくなる。つまり、コンテナ番号が異なっても、反対側の例の番号を対象にするときは、存在するコンテナ番号を引き当てることで制御することができる。
【００７５】
　このように、他の予約番号で使用するコンテナ１２を引き当てて使用することになったが、ステップＳ７で、それ以外に書庫から出庫するコンテナ１２があるか否かを判断する。
【００７６】
　書庫から出庫するコンテナ１２がない場合（ＮＯ）には、ステップＳ８で、待機棚ロケーションマスタの該当コンテナ番号の実保管により、引き当てコンテナ１２が全てコンテナ待機棚４４にあるか否かを判断する。コンテナ待機棚４４にない引き当てコンテナ１２がある場合（ＮＯ）には、その全てがコンテナ待機棚４４に実保管されるまで待ち状態となる。
【００７７】
　他の予約番号のコンテナ１２を利用することを引き当てたコンテナ１２の全てがコンテナ待機棚４４に実保管された場合（ＹＥＳ）には、ステップＳ９で、空きステーション３２があるか否かを判断し、ない場合（ＮＯ）には、空きが生じるまで待ち状態となる。
【００７８】
　空きステーション３２が発生した場合（ＹＥＳ）には、ステップＳ１０で、図書貸し出し情報の進捗情報の中の取り出し準備完了フラグをセットする。利用者にステーション３２の利用許可を与え、各ステーション３２の利用状況を示すモニタ３３によって、図１７に示すように、予約番号１３の利用者の入室を促す。この例では、予約番号１３の利用者は、番号１か４のステーション３２に入室することができる。今、番号１のステーション３２に入るものとする。また、モニタ３３によってステーション３２に入室を促した時刻を、図書貸し出し情報の準備完了時刻に記録する。ここでは、その時刻を１３時５５分とする。
【００７９】
　一方、上記ステップＳ５で他の予約番号分に引き当たるコンテナ１２が全く存在しない場合（ＮＯ）、または、上記ステップＳ７で書庫から出庫するコンテナ１２がある場合（ＹＥＳ）には、ステップＳ１１で、コンテナ待機棚４４に空きがあるか否かを待機棚ロケーションマスタを参照して判断する。待機棚ロケーションマスタには、実保管されているコンテナ１２のコンテナ番号と、現在はないがステーション３２から戻って保管されるコンテナ１２のコンテナ番号とが記憶されているので、コンテナ番号の記憶されていないロケーションが空きのある待機棚となる。コンテナ待機棚４４に空きがない場合（ＮＯ）には、空きが生じるまで待ち状態となる。
【００８０】
　コンテナ待機棚４４に空きがある場合（ＹＥＳ）には、ステップＳ１２で、図書貸し出し情報のコンテナ番号から書庫のロケーションを書庫ロケーションマスタで検索し、スタッカークレーン１３に出庫命令として与える。コンテナ番号は、待機棚ロケーションマスタに記憶される。この登録は、コンテナ１２がステーション３２で利用完了した時点で、他の予約番号に引き当てられていないと判断されるまで継続される。
【００８１】
　ステップＳ１３で、ステップＳ１２で書庫から出庫開始されたコンテナ１２以外のコンテナ１２は全てコンテナ待機棚４４に実保管されていて、書庫からコンテナ１２が出庫されれば準備完了となるか否かを判断する。ただし、対象コンテナ１２の数が１個だけのときは、コンテナ待機棚４４のコンテナ収容状態は関係ない。
【００８２】
　書庫からコンテナ１２が出庫されれば準備完了となる場合（ＹＥＳ）には、ステップＳ１４で、上記ステップＳ１０と同様の処理が行なわれる。すなわち、利用者にステーション３２の利用許可を与える。このようにすることにより、書庫から出庫開始されたコンテナ１２がステーション３２に到着するまでの搬送時間を有効に利用することができる。
【００８３】
　ステップＳ１５で、書庫から出庫されたコンテナ１２が垂直搬送機１７と接続された搬送コンベア２０に到着したとき、利用者が利用者カードを登録しているか否か、つまり、ステーション３２の番号が決定しているか否かを判断する。ステーション３２の利用が許可されて、利用状況を示すモニタ３３で空きステーション３２を案内された利用者は、そのステーション３２のステーション端末機３５の入力タッチパネル式モニタにより、図１８（ａ）に示すように、利用者カードをカードリーダ３８に読み取らせるように案内される。これにより、利用者カードが登録されることになる。登録すると、図１８（ｂ）に示す画面により、コンテナ数を知り、その到着を待つことになる。登録すると、図書貸し出し情報の進捗情報の中の利用者コード登録フラグがセットされ、ステーションＮｏ．に記憶される。今、予約番号１３は、ステーションＮｏ．１と決定されたことになる。利用状況を示すモニタ３３は、Ｎｏ．１のステーション３２を利用中に切り替える。
【００８４】
　上記ステップＳ１３で書庫からコンテナ１２が出庫されても準備完了とならない場合（ＮＯ）、または、上記ステップＳ１５でステーション３２の番号が決定していない、つまり、ステーション３２にコンテナ１２を搬送できない場合（ＮＯ）には、ステップＳ１６で、書庫から出庫したコンテナ１２をステップＳ１２で決めた待機棚ロケーションで示すコンテナ待機棚４４に搬送する。
【００８５】
　ステップＳ１７で、さらに書庫から出庫すべきコンテナ１２があるか否かを判断する。
【００８６】
ある場合（ＹＥＳ）には、上記ステップＳ１１の判断を経てコンテナ待機棚４４に空きがある場合、上記ステップＳ１２により書庫からの出庫を実行する。
【００８７】
　上記ステップＳ１７で書庫から出庫すべきコンテナ１２がない場合（ＮＯ）には、ステップＳ１８で、書庫からの未出庫コンテナ１２がないが、既にステーション３２の利用許可がなされているか否かを判断する。利用許可がなされている場合（ＹＥＳ）には、全てのコンテナ１２がコンテナ待機棚４４に揃ったことになるので、ステップＳ１９で、利用者コードが登録されているか否かを判断する。すなわち、利用者登録待ち状態に入る。利用許可がなされていない場合（ＮＯ）には、コンテナ待機棚４４に実保管されていない引き当てコンテナ１２があることになるので、上記ステップＳ８に移行し全てのコンテナ１２がコンテナ待機棚４４に実保管されるまで待ち状態となる。
【００８８】
　上記ステップＳ１９で利用者コードが登録されていない場合（ＮＯ）には、ステップＳ２０で、ステーション３２の利用許可を出した後、利用者コードの登録がないまま一定時間が経過したか否かを判断する。一定時間が経過していない場合（ＮＯ）には、ステップＳ１９で利用者コードの登録待ち状態となる。
【００８９】
　そして、一定時間が経過した場合（ＹＥＳ）には、ステップＳ２１で、そのステーション３２の利用許可の取り消し処理を実行する。つまり、利用状況を示すモニタ３３から予約番号１３を消去する。これは、コンテナ１２が準備完了しても、一定時間内に利用者コードの登録がないときは、予約取り消し処理を行なっている。この処理は、後番の利用者の迷惑を排除することを意図している。すなわち、貸し出し処理は、コンテナ１２の重複利用時に少し前後することはあるとしても、また、予約順を狂わしてのステーション３２の利用は可能であるとしても、原則として、予約番号順に行なわれるのであるから、遅滞者分のコンテナ１２がコンテナ待機棚４４に長時間滞留することは他者の迷惑になるとの理由がある。一定時間、例えば１０分間の猶予時間を監視する。先の例では、１３時５５分に案内表示を開始したので、１４時５分に予約取り消し処理が実行される。
【００９０】
　ステップＳ２２で、対象とするコンテナ１２が後番の予約番号で引き当てられているか否かを判断する。この判断は、後番の予約番号である図書貸し出し情報に同じコンテナ番号があり、かつ、引き当て情報フラグのセットを検索して行なうことができる。
【００９１】
　対象とするコンテナ１２が後番の予約番号で引き当てられていない場合（ＮＯ）には、ステップＳ２３で、そのコンテナ１２を書庫に戻す作業が実行される。
【００９２】
　このステップＳ２３の後、または、上記ステップＳ２２で対象とするコンテナ１２が後番の予約番号で引き当てられている場合（ＹＥＳ）には、ステップＳ２４で、そのコンテナ１２をコンテナ待機棚４４に留め、予約番号１３の図書貸し出し情報にある全てのコンテナ１２に対してステップＳ２２の判断を行ない、全てのコンテナ１２に対して判断が完了した場合（ＹＥＳ）には、予約番号１３の取り消し処理を終了する。全てのコンテナ１２に対して判断が完了していない場合（ＮＯ）には、ステップＳ２２の処理に移行され、判断が続けられる。
【００９３】
　上記ステップＳ１５またはステップＳ１９で利用者コードが登録されている場合（ＹＥＳ）には、ステップＳ２５で、垂直搬送機１７と接続された搬送コンベア２０から直接、または、コンテナ待機棚４４から、コンテナ１２のステーション３２への搬送が開始される。
【００９４】
　利用者登録操作を終わった利用者は、ステーション端末機３５の入力タッチパネル式モニタにより、図１８（ｂ）に示すように、コンテナ１２の数、この例では２つあることを知らされている。ステップＳ２６で、ステーション３２にコンテナ１２が到着すると、入力タッチパネル式モニタの画面は、図１８（ｃ）または（ｅ）のように切り替わる。図書貸し出し情報の進捗情報の中のブース取り出し中フラグをセットする。
【００９５】
　ステップＳ２７で、複数のコンテナ１２から図書３１の取り出しが行なわれる場合、ステーション３２に保持されているコンテナ１２が最後のコンテナ１２であるか否かを判別する。最初のコンテナ１２がステーション３２に到着したとき、入力タッチパネル式モニタの画面は、図１８（ｃ）のようになり、最後のコンテナ１２または最初からコンテナ数が１個の場合は、そのコンテナ１２がステーション３２に到着したとき、入力タッチパネル式モニタの画面は、図１８（ｅ）のようになる。
【００９６】
　最後のコンテナ１２である場合（ＹＥＳ）、ステップＳ２８で、図１８（ｅ）の画面に表示された書名に基づいて図書３１を取り出し、「終了」の項目をタッチする。入力タッチパネル式モニタの画面は、図１８（ｆ）のようになり、プリンタ３７で図１９に示すような図書貸し出し票が発行される。
【００９７】
　上記ステップＳ２７で最後のコンテナ１２でない場合（ＮＯ）には、ステップＳ２９で、図１８（ｃ）の画面に表示された書名に基づいて図書３１を取り出し、「次の図書」の項目をタッチする。入力タッチパネル式モニタの画面は、図１８（ｄ）のように切り替わる。
【００９８】
　上記ステップＳ２８またはＳ２９の後、図書３１を取り出されたコンテナ１２は、ステーション３２から搬出されるが、ステップＳ３０で、上記ステップＳ２２と同じ判断がなされる。すなわち、対象とするコンテナ１２が後番の予約番号で引き当てられているか否かを判断する。この判断は、後番の予約番号である図書貸し出し情報から引き当て情報フラグのセットされたコンテナ番号を検索して行なうことができる。
【００９９】
　対象とするコンテナ１２が後番の予約番号で引き当てられている場合（ＹＥＳ）には、ステップＳ３１で、そのコンテナ１２をコンテナ待機棚４４に戻す。この場合、引き当てコンテナ番号が今利用したコンテナ番号の反対側の番号であるときは、コンテナ１２を回転させてからコンテナ待機棚４４に保管させるようにしても良い。これは、その時点での走行式移載台車４１の作業量で制御することになる。
【０１００】
　上記ステップＳ３０で対象とするコンテナ１２が後番の予約番号で引き当てられていない場合（ＮＯ）には、ステップＳ３２で、そのコンテナ１２を書庫に戻す作業が実行される。
【０１０１】
　ステップＳ３３で、次のコンテナ１２があるか否かを判断する。
【０１０２】
　次のコンテナ１２がある場合（ＹＥＳ）、つまり、上記ステップＳ２９で「次の図書」の項目のタッチ操作が行なわれた場合には、ステップＳ３４で、次のコンテナ１２をコンテナ待機棚４４からステーション３２まで搬送する。このとき、次のコンテナ番号が今使用したコンテナ１２の反対側、つまり、コンテナ１２としては同じであるが反対側の列に付されたコンテナ番号であるときには、コンテナ１２を移載した走行式移載台車４１は、回転台４３の前面に進み、コンテナ１２を回転台４３に移載して１８０度回転させてから、再びステーション３２に搬送するように制御する。以後、上記ステップＳ２６の処理に移行される。
【０１０３】
　上記ステップＳ３３で次のコンテナ１２がない場合（ＮＯ）、つまり、上記ステップＳ２８で「終了」の項目のタッチ操作が行なわれた場合には、ステップＳ３５で、図１８（ｆ）のような入力タッチパネル式モニタの画面の案内に基づいて、利用者は、プリンタ３７で発行された図１９に示すような図書貸し出し票を受領した後、ステーション３２から退室する。図書貸し出し情報の進捗情報の中の取り出し完了フラグがセットされて、利用状況を示すモニタ３３のステーションＮｏ．１は空きなる。
【０１０４】
　上記ステップＳ３５の後、または、上記ステップＳ２４で予約番号１３の全コンテナ１２に対して予約取り消し処理が終了した場合（ＹＥＳ）には、ステップＳ３６で、書庫システムサーバ３８から、処理中に記憶された情報を加えた図書貸し出し情報を図書貸し出し実績情報として図書館システムサーバ４６に伝送して、全ての処理を終了する。
【０１０５】
　なお、上記ステップＳ２０以降において、取り消された予約番号については、図書貸し出し情報の進捗情報の中の取り出し完了フラグがセットされていないので、図書館システムサーバ４６は、キャンセル情報として取り扱うことになる。」（段落【００６９】ないし【０１０５】）
（２）上記（１）及び図面の記載から分かること
ａ）上記（１）ａ）及びｂ）並びに図１ないし１１の記載（特に、段落【００１８】、【００４３】及び【００６９】並びに図１及び８の記載）によれば、引用刊行物には、図書保管管理システムが記載されていることが分かる。
ｂ）上記（１）ａ）並びに図１及び２の記載（特に、段落【００１８】及び【００１９】並びに図１及び２の記載）によれば、図書保管管理システムにおいて、複数の図書を収容した複数のコンテナ１２が書庫に保管されることが分かる。
ｃ）上記（１）ａ）及びｂ）並びに図２の記載（特に、段落【００２８】、【００３２】、【００５０】、【００６０】及び【００６４】並びに図２の記載）によれば、図書保管管理システムにおいて、複数のコンテナ１２には、各コンテナ１２を識別可能なコンテナ番号が付与されることが分かる。
ｄ）上記（１）ａ）、ｂ）並びに図１ないし８の記載（特に、段落【００２０】ないし【００２６】及び【００４３】ないし【００５４】並びに図１ないし８の記載）によれば、図書保管管理システムにおいて、図書管理システムサーバ４６、図書検索端末４７、書庫システムサーバ４８、ステーション端末機３５及び統括制御盤４９等を含む制御システムの指令に基づき、書庫に保管されている複数のコンテナ１２の中から、貸し出しまたは返却作業の対象となる目的の図書を収容するコンテナ１２を前記書庫から取り出して搬送コンベア１５、２９及び垂直搬送機１７により職員用ステーション４５に搬送するとともに、該コンテナ１２を図書の貸し出しまたは返却作業後に前記職員用ステーション４５から前記書庫に搬送することが分かる。
ｅ）上記（１）ａ）及びｂ）並びに図１ないし８の記載（特に、段落【００２８】、【００３２】、【００５０】、【００６０】及び【００６４】並びに図２の記載）によれば、図書保管管理システムの制御システムにおいて、コンテナ１２のコンテナ番号をバーコードリーダで読み取ることが分かる。
　また、上記（１）ｂ）及び図９ないし１１の記載（特に、段落【００５５】ないし【００６８】及び図９ないし１１の記載）を合わせみると、コンテナ番号は、図書貸出情報と、図書マスタ、コンテナマスタ、待機棚ロケーションマスタ及び書庫ロケーションマスタの４つマスタとに記憶されて図書の保管管理に用いられており、図書保管管理システムの制御システムにおいて、コンテナ番号をバーコードリーダにより読み取ることで、コンテナ番号を受け付けていることが分かる。
　そうすると、上記（１）ａ）及びｂ）並びに図１ないし１１の記載によれば、図書保管管理システムの制御システムは、搬送対象のコンテナ１２のコンテナ番号を受付けるバーコードリーダによる受付手段を備えることが分かる。
ｆ）上記（１）ｂ）及びｃ）並びに図１ないし１１の記載（特に、段落【００４３】ないし【００５５】及び【００８０】並びに図８ないし１１の記載）を上記ｅ）とあわせてみると、図書保管管理システムの制御システムは、バーコードリーダによる受付手段にて受付けたコンテナ番号が付与されたコンテナ１２を搬送経路に沿って搬送させる書庫システムサーバ４８、統括制御盤４９、ステーション搬送機制御盤５０、入出庫搬送機制御盤５１、垂直搬送機制御盤５２及びスタッカークレーン地上盤５３等を備えることが分かる。
ｇ）上記（１）ｂ）及び図１ないし８の記載（特に、段落【００４８】及び【００４９】及び図３ないし８の記載）によれば、図書保管管理システムの制御システムは、ステーション端末機３５のモニタを備えることが分かる。
ｈ）上記（１）ａ）並びに図１及び６の記載（特に、段落【００２９】、【００４２】及び【００４８】並びに図１及び６の記載）によれば、図書保管管理システムにおいて、職員用ステーション４５は、１階ステーションユニット２１と２階ステーションユニット２３のそれぞれに設けられるから、複数台設けられることが分かる。
（３）引用発明
　上記（１）及び（２）並びに図面を総合して、本願補正発明の表現に倣って整理すると、引用刊行物には、次の事項からなる発明（以下「引用発明」という。）が記載されていると認める。
「複数の図書を収容した複数のコンテナ１２が書庫に保管され、該複数のコンテナ１２には、各コンテナ１２を識別可能なコンテナ番号が付与されており、図書管理システムサーバ４６、図書検索端末４７、書庫システムサーバ４８、ステーション端末機３５及び統括制御盤４９等を含む制御システムの指令に基づき、前記書庫に保管されている前記複数のコンテナ１２の中から、貸し出しまたは返却作業の対象となる目的の図書を収容するコンテナ１２を前記書庫から取り出して搬送コンベア１５、２９及び垂直搬送機１７により職員用ステーション４５に搬送するとともに、該コンテナ１２を図書の貸し出しまたは返却作業後に前記職員用ステーション４５から前記書庫に搬送する図書保管管理システムであって、
　前記制御システムは、搬送対象のコンテナ１２のコンテナ番号を受付けるバーコードリーダによる受付手段と、該バーコードリーダによる受付手段にて受付けたコンテナ番号が付与されたコンテナ１２を搬送経路に沿って搬送させる書庫システムサーバ４８、統括制御盤４９、ステーション搬送機制御盤５０、入出庫搬送機制御盤５１、垂直搬送機制御盤５２及びスタッカークレーン地上盤５３等と、ステーション端末機３５のモニタと、を備え、
　前記職員用ステーション４５は複数台設けられた図書保管管理システム。」
３．対比
　本願補正発明（以下、「前者」ともいう。）と引用発明（以下、「後者」ともいう。）とを、その機能、構造又は技術的意義を考慮して対比する。
・後者における「コンテナ１２」は、前者における「コンテナ」に相当し、以下同様に、「コンテナ番号」は「コンテナ識別情報」に、「図書管理システムサーバ４６、図書検索端末４７、書庫システムサーバ４８、ステーション端末機３５及び統括制御盤４９等を含む制御システム」又は「制御システム」は「管理装置」に、「搬送コンベア１５、２９」は「コンベア」に、「垂直搬送機１７」は「エレベータ」に、「職員用ステーション４５」は「ステーション」に、「図書保管管理システム」は「図書保管管理システム」に、「バーコードリーダによる受付手段」は「コンテナ識別情報受付手段」に、「書庫システムサーバ４８、統括制御盤４９、ステーション搬送機制御盤５０、入出庫搬送機制御盤５１、垂直搬送機制御盤５２及びスタッカークレーン地上盤５３等」は「搬送制御手段」に、「ステーション端末機３５のモニタ」は「表示手段」に、それぞれ相当する。
・後者における「制御システム」が、「ステーション端末機３５のモニタ」を備えることは、前者における「管理装置」が、「コンテナ位置取得手段にて取得したコンテナ位置に基づいて前記搬送対象のコンテナの搬送状況を表示する表示手段」を備え、「前記コンテナ位置取得手段が取得した情報に基づいて、前記コンテナ識別情報が付与されたコンテナが複数の前記ステーションのいずれかに対応するかを判断して、対応する前記ステーションの前記表示手段に、該コンテナが前記搬送経路の前記書庫、前記コンベア、前記エレベータ及び前記ステーションのうちいずれの領域に位置するかという位置情報を表示させる」ことに、「管理装置」が、「表示手段」を備えるという限りにおいて一致する。
　したがって、両者は、
「複数の図書を収容した複数のコンテナが書庫に保管され、該複数のコンテナには、各コンテナを識別可能なコンテナ識別情報が付与されており、管理装置の指令に基づき、前記書庫に保管されている前記複数のコンテナの中から、貸し出しまたは返却作業の対象となる目的の図書を収容するコンテナを前記書庫から取り出してコンベア及びエレベータによりステーションに搬送するとともに、該コンテナを図書の貸し出しまたは返却作業後に前記ステーションから前記書庫に搬送する図書保管管理システムであって、
　前記管理装置は、搬送対象のコンテナのコンテナ識別情報を受付けるコンテナ識別情報受付手段と、該コンテナ識別情報受付手段にて受付けたコンテナ識別情報が付与されたコンテナを搬送経路に沿って搬送させる搬送制御手段と、表示手段と、を備え、
　前記ステーションは複数台設けられた図書保管管理システム。」の点で一致し、以下の点で相違している。
［相違点１］
　本願補正発明においては、「管理装置」は「搬送中のコンテナの搬送経路における現在位置を取得するコンテナ位置取得手段」を備え、「前記コンテナ位置取得手段は、前記搬送経路に複数設けられたコンテナ識別情報受付手段を具備し」、「前記コンテナ位置取得手段は、前記搬送経路に複数設けられた各コンテナ識別情報受付手段により取得されたコンテナ識別情報を基に、該コンテナ識別情報が付与されたコンテナの現在位置を取得」するのに対して、引用発明においては、そのような構成を備えるか否か不明である点（以下、「相違点１」という。）。
［相違点２］
　「管理装置」が、「表示手段」を備えることに関し、本願補正発明においては、「管理装置」が、「コンテナ位置取得手段にて取得したコンテナ位置に基づいて前記搬送対象のコンテナの搬送状況を表示する表示手段」を備え、「前記コンテナ位置取得手段が取得した情報に基づいて、前記コンテナ識別情報が付与されたコンテナが複数の前記ステーションのいずれかに対応するかを判断して、対応する前記ステーションの前記表示手段に、該コンテナが前記搬送経路の前記書庫、前記コンベア、前記エレベータ及び前記ステーションのうちいずれの領域に位置するかという位置情報を表示させる」のに対して、引用発明においては、「制御システム」が「ステーション端末機３５のモニタ」を備えるものの、制御システムによりステーション端末機３５のモニタにどのような情報を表示させるのか不明である点（以下、「相違点２」という。）。
４．判断
　上記相違点１及び２について検討する。
　物品の保管管理システムにおいて、パレットやコンテナ等の保管庫の保管箇所に物品を格納したり、保管庫の保管箇所と入出庫箇所との間で物品を搬送するための用具（以下、「搬送用具」という。）を搬送する際、搬送用具の位置に基づいて搬送用具の搬送状況を表示する入出庫箇所の表示手段に搬送経路の複数領域のいずれの領域に位置するかという位置情報を表示することにより、搬送用具の搬送の際に、利用者の苛立ち感や不安感の低減を図ることは、本件出願前に周知の技術（以下、「周知技術１」という。必要であれば、実願昭６１−１６６３２１号（実開昭６３−７２７００号）のマイクロフィルム（特に、明細書５ページ１２行ないし６ページ９行、７ページ１行ないし１０ページ１５行及び１１ページ３ないし７行並びに第１ないし４図）及び実願昭６２−１８５６６９号（実開平１−８９５５６号）のマイクロフィルム（特に、明細書５ページ１６行ないし８ページ５行及び８ページ１２行ないし９ページ４行並びに第１ないし４図）を参照。）である。
　一方、引用刊行物の図１８（ｂ）における、ステーション３２のステーション端末機３５のモニタに表示されるコンテナ１２の到着前における画面において、「しばらく、お待ち下さい」というメッセージが含まれることから理解できるように、引用発明においても、職員ステーション４５へのコンテナの出庫の際に職員の苛立ち感や不安感の低減を図ることは、内在する課題といえるから、引用発明に周知技術１を適用することは、当業者が容易に想到し得たことである。
　また、搬送物の搬送状況を表示するものにおいて、搬送経路に複数設けられた搬送物の検知手段より取得した搬送物の位置情報を基に、搬送物の現在位置を取得する搬送物の位置取得手段を備えることは、本件出願前に周知の技術(以下、「周知技術２」という。必要であれば、実願昭６１−１６６３２１号（実開昭６３−７２７００号）のマイクロフィルム（特に、明細書５ページ１２行ないし６ページ９行及び７ページ１行ないし１０ページ１５行並びに第１ないし４図）及び国際公開第２００４／１０８３４７号（特に、５ページ１９行ないし６ページ９行及び１５ページ１８行ないし１６ページ１３行並びに第１６図）を参照。）であるとともに、搬送物の位置情報を取得する搬送物の検知手段を、バーコードリーダー等による搬送物の識別情報受付手段で構成することは、本件出願前に周知の技術（以下、「周知技術３」という。必要であれば、国際公開第２００４／１０８３４７号（特に、５ページ１９行ないし６ページ９行及び１５ページ１８行ないし１６ページ１３行並びに第１６図）及び引用刊行物（特に、段落【００６４】）を参照。）である。
　そうすると、引用発明において、周知技術１とともに周知技術１に関連する周知技術２及び３を適用して、制御システム（本願補正発明の「管理装置」に相当。括弧内、以下同様。）は搬送中のコンテナ１２（コンテナ）の搬送経路における現在位置を取得するコンテナ１２の位置取得手段（コンテナ位置取得手段）を備え、前記コンテナ１２の位置取得手段は、前記搬送経路に複数設けられたバーコードリーダーによる受付手段（コンテナ識別情報受付手段）を具備し、前記コンテナ１２の位置取得手段は、前記搬送経路に複数設けられた各バーコードリーダーによる受付手段により取得されたコンテナ番号（コンテナ識別情報）を基に、該コンテナ番号が付与されたコンテナ１２の現在位置を取得するように構成すること、すなわち、上記相違点１に係る本願補正発明の発明特定事項とすることは、当業者が適宜なし得たことである。
　ところで、所定箇所から搬送物を複数のステーション等の搬出箇所に選択的に搬送する際の搬送物の搬送状況を表示するものにおいて、搬送物の対応するステーション等の搬出箇所の表示手段に搬送物の搬送状況を表示することは、本件出願前に周知の技術（以下、「周知技術４」という。必要であれば、特開平１０−２１８３０６号公報（特に、段落【００１０】、【００１１】、【００５４】ないし【００５６】及び【００６５】並びに図１）及び引用刊行物（特に、段落【００６４】、【００９４】及び【００９５】並びに図１８）を参照。）である。
　そして、引用発明において、「書庫システムサーバ４８、統括制御盤４９、ステーション搬送機制御盤５０、入出庫搬送機制御盤５１、垂直搬送機制御盤５２及びスタッカークレーン地上盤５３等」によりコンテナ番号が付与されたコンテナ１２を対応する職員用ステーション４５に対して搬送経路に沿って搬送することになるのであるから、コンテナ番号が付与されたコンテナ１２が複数の職員用ステーション４５のいずれに対応するかを判断していることは明らかであり、引用発明に周知技術１とともに周知技術４を適用することにより、コンテナ番号が付与されたコンテナ１２が複数の職員ステーション４５のいずれかに対応するかを判断して、対応する職員ステーション４５のステーション端末機３５のモニタに、該コンテナ１２の搬送状況を表示させることは、当業者が容易に想到し得ることである。
　また、搬送物の搬送状況を表示するものにおいて、搬送物を搬送経路上のどの機器に位置しているのかを認識できる程度に、表示手段に搬送物が搬送経路のいずれの領域に位置するかという位置情報を表示することは、本件出願前に周知の技術（以下、「周知技術５」という。必要であれば、特開昭５１−１３５０７６号公報（特に、１ページ右下欄１ないし５行及び２ページ右下欄４行ないし３ページ右上欄８行並びに第２図）及び国際公開第２００４／１０８３４７号（特に、５ページ１９行ないし６ページ９行及び１５ページ１８行ないし１６ページ１３行並びに第１６図）を参照。）であり、引用発明に周知技術１とともに周知技術５を適用することにより、職員ステーション４５のステーション端末機３５のモニタに、コンテナ１２が搬送経路の書庫、搬送コンベア１５、２９、垂直搬送機１７及び職員ステーション４５のうちいずれの領域に位置するかという位置情報を表示させることは、当業者が適宜なし得ることである。
　以上を総合すると、引用発明において、周知技術１とともに周知技術１に関連する周知技術２及び３を適用し、その際に周知技術１に関連する周知技術４及び５を適用して、制御システム（本願補正発明の「管理装置」に相当。括弧内、以下同様。）は、コンテナ１２の位置取得手段（コンテナ位置取得手段）にて取得したコンテナ１２（コンテナ）の位置に基づいて搬送対象のコンテナ１２の搬送状況を表示するステーション端末機３５のモニタ（表示手段）を備え、前記コンテナ１２の位置取得手段が取得した情報に基づいて、コンテナ番号（コンテナ識別情報）が付与されたコンテナ１２が複数の職員用ステーション４５のいずれかに対応するかを判断して、対応する前記職員用ステーション４５のステーション端末機３５のモニタに、該コンテナ１２が搬送経路の書庫、搬送コンベア１５、２９（コンベア）、垂直搬送機１７（エレベータ）及び前記職員用ステーション４５のうちいずれの領域に位置するかという位置情報を表示させるように構成すること、すなわち、上記相違点２に係る本願補正発明の発明特定事項とすることは、当業者が容易になし得たことである。
　そして、本願補正発明は、全体としてみても、引用発明及び周知技術１ないし５から予測される以上の格別な効果を奏するものではない。
５．まとめ
　したがって、本願補正発明は、引用発明及び周知技術１ないし５に基づいて当業者が容易に発明をすることができたものであるから、特許法第２９条第２項の規定により特許出願の際独立して特許を受けることができないものである。
〔４〕むすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、［補正の却下の決定の結論］のとおり決定する。
第３　本願発明について
１．本願発明
　本件補正は上記のとおり却下されたので、本件出願の請求項１に係る発明（以下、同項記載の発明を「本願発明」という。）は、平成２６年８月２１日に提出された手続補正書により補正された特許請求の範囲の請求項１に記載された事項により特定されるものであるところ、前記第２［理由］〔１〕（Ａ）の【請求項１】に示したとおりのものである。
２．刊行物
　原査定の拒絶の理由に引用された引用刊行物及びその記載事項、並びに、引用発明は、前記第２［理由］〔３〕２．に記載したとおりである。
３．対比・判断
　本願発明は、前記第２［理由］〔３〕で検討した本願補正発明において、「前記コンテナ位置取得手段は、前記搬送経路に複数設けられたコンテナ識別情報受付手段を具備し、
　前記ステーションは複数台設けられ、
　前記コンテナ位置取得手段は、前記搬送経路に複数設けられた各コンテナ識別情報受付手段により取得されたコンテナ識別情報を基に、該コンテナ識別情報が付与されたコンテナの現在位置を取得し、
　前記管理装置は、前記コンテナ位置取得手段が取得した情報に基づいて、前記コンテナ識別情報が付与されたコンテナが複数の前記ステーションのいずれかに対応するかを判断して、対応する前記ステーションの前記表示手段に、該コンテナが前記搬送経路の前記書庫、前記コンベア、前記エレベータ及び前記ステーションのうちいずれの領域に位置するかという位置情報を表示させる」という発明特定事項について、「前記表示手段は、前記搬送対象のコンテナの搬送状況の表示を前記搬送経路における前記書庫、前記コンベア、前記エレベータ及び前記ステーションの領域毎に行う」とし、「表示手段」による表示の態様について上位概念化したものに相当する。
　そうすると、本願発明において、「表示手段」による表示の態様について限定したものに相当する本願補正発明が、前記第２［理由］〔３〕に記載したとおり、引用発明及び周知技術１ないし５に基づいて、当業者が容易に発明をすることができたものであるから、本願発明も、同様の理由により、引用発明及び周知技術１ないし５に基づいて、当業者が容易に発明をすることができたものであり、特許法第２９条第２項の規定により特許を受けることができない。
４．むすび
　以上のとおり、本願発明は、特許法第２９条第２項の規定により特許を受けることができないから、本件出願は拒絶すべきものである。
　よって、結論のとおり審決する。